(57)【特許請求の範囲】
【請求項１】
無線通信機の表示装置において、
周波数軸と、設定されている運用可能周波数範囲の上限、下限に対応する周波数軸上の位置を示す図形とを表示させる表示手段を備えるとともに、
設定されているスキャン範囲、受信フィルタ帯域、もしくは運用モードのいずれかの設定情報を、前記表示手段に表示された周波数軸上の位置を視認可能な状態で表示する設定情報表示手段と、
運用周波数を第１局発信号によって第１中間周波数に変換する第１のミキサと、第１中間周波数を第２局発信号によって第２中間周波数に変換する第２のミキサとを備えた変換手段と、
前記第２局発信号を所定の周波数範囲走査させることによって、運用周波数近傍のスペクトラムを表示するスペクトラム表示手段と、
前記運用周波数ＦｒｘをＦｒｘ＋Δｆへ変更するとき、
前記表示手段に表示させるスペクトラムの周波数の範囲が変動しないように、前記第２局発信号が走査する周波数の上限の周波数Ｆｌｏ２をＦｌｏ２＋Δｆに補正し、下限の周波数Ｆｌｏ１をＦｌｏ１＋Δｆに補正する局発補正手段と
を備えたことを特徴とする表示装置。
【請求項２】
現在の運用周波数を、前記表示手段に表示された運用可能周波数範囲全体に対応する領域内における周波数軸上の位置に対応させて表示することによって視認可能な状態で表示する運用周波数表示手段を備えたことを特徴とする請求項１に記載の表示装置。
【発明の詳細な説明】
【０００１】
【発明の属する技術分野】
本発明は、運用可能周波数範囲、スキャン範囲、受信フィルタ帯域、各メモリーチャンネルの設定情報等を表示する表示装置に関するものであって、特には、設定した運用可能周波数範囲全体を把握することができる表示装置に関するものである。
【０００２】
【従来の技術】
従来より、無線通信機における表示装置としては、運用可能周波数範囲、スキャン範囲、受信フィルタ帯域、各メモリーチャンネルの設定情報等をグラフィック表示もしくは疑似グラフィック表示可能なものがある。そして、表示された周波数範囲における信号の受信強度分布を表示する機能、所謂スペクトラム表示機能を備えている表示装置もある。
なお、この明細書においては、無線通信の分野で使用されることが多い用語に従って、無線通信に使用している周波数もしくは使用する周波数帯の中心周波数を運用周波数と言い、前記運用可能周波数範囲とは当該無線通信機に運用周波数として設定することが可能な周波数の範囲を指しており、スキャン範囲とは受信周波数を走査する範囲を指しており、メモリーチャンネルとは運用周波数を記憶する手段もしくは記憶された運用周波数を指している。また、無線通信において使用している電波形式を運用モードと言う。
【０００３】
【発明が解決しようとする課題】
ところが、上述したような従来の表示装置は、運用可能周波数範囲、スキャン範囲に関係なく、現在の運用周波数を中心として上下に設定された所定幅の周波数範囲、例えば上下50kHz、合計100kHzの範囲を表示させるのみであって、運用可能周波数範囲の全体を表示させることはできなかった。
そのため、運用周波数を変更すると、その周波数を中心とした所定の表示周波数範囲も追従して変化する。例えば、運用周波数を10kHz上げると、前記表示周波数範囲も10kHz高い方へ移動するので、運用周波数の変更前に表示されていた信号成分がどこに移動したのかが解りにくいという問題があった。
【０００４】
また、運用可能周波数範囲の全体が表示されていないため、現在の運用周波数が、設定した運用可能周波数範囲中のどの辺りなのか、例えば、下限に近いのか、中間辺りか、上限に近いのか等が解りにくいという問題があった。また、任意の周波数範囲をスキャンさせる際においても、その上限、下限が解りにくく、また、その運用可能周波数範囲のどの辺りなのかが解りにくいという問題もあった。
【０００５】
また、メモリーチャンネルに関しても、表示装置において表示される周波数範囲の中のどの辺りにどのような間隔で設定されているのか、また、メモリーチャンネルを順次スキャンさせる際においても、設定可能な周波数範囲のどの辺りをスキャンさせているのかが不明であるという問題もあった。
さらにまた、受信フィルタ帯域の設定値に関しても、表示装置において表示される周波数範囲の中のどの辺りにどのような特性で設定されているのかも不明であるので、表示装置にスペクトラム表示されている信号のどの部分が受信信号として聞こえている範囲なのかも解りにくいという問題があった。
【０００６】
そこで、本発明は、無線通信機において設定されている運用可能周波数範囲、スキャン範囲、受信フィルタ帯域、各メモリーチャンネルの設定情報等を解りやすく表示できる表示装置を提供することを目的としてなされたものである。
【０００７】
【課題を解決するための手段】
本発明にかかる表示装置の請求項１においては、
無線通信機の表示装置において、
周波数軸と、設定されている運用可能周波数範囲の上限、下限に対応する周波数軸上の位置を示す図形とを表示させる表示手段を備えるとともに、
設定されているスキャン範囲、受信フィルタ帯域、もしくは運用モードのいずれかの設定情報を、前記表示手段に表示された周波数軸上の位置を視認可能な状態で表示する設定情報表示手段と、
運用周波数を第１局発信号によって第１中間周波数に変換する第１のミキサと、第１中間周波数を第２局発信号によって第２中間周波数に変換する第２のミキサとを備えた変換手段と、
前記第２局発信号を所定の周波数範囲走査させることによって、運用周波数近傍のスペクトラムを表示するスペクトラム表示手段と、
前記運用周波数ＦｒｘをＦｒｘ＋Δｆへ変更するとき、
前記表示手段に表示させるスペクトラムの周波数の範囲が変動しないように、前記第２局発信号が走査する周波数の上限の周波数Ｆｌｏ２をＦｌｏ２＋Δｆに補正し、下限の周波数Ｆｌｏ１をＦｌｏ１＋Δｆに補正する局発補正手段と
を備えるという手段を講じた。
【０００８】
請求項２の発明においては、さらに、現在の運用周波数を、前記表示手段に表示された運用可能周波数範囲全体に対応する領域内における周波数軸上の位置に対応させて表示することによって視認可能な状態で表示する運用周波数表示手段を備えるという手段を講じた。
【０００９】
【作用】
請求項１の発明によれば、図２に示したように、表示手段によって、運用可能周波数範囲全体Ｐａが表示され、設定情報表示手段によって、スキャン範囲Ｐｂ、受信フィルタ帯域Ｐｃ、各メモリーチャンネルの設定周波数Ｐｄ、もしくは、運用モードの少なくともいずれかの設定情報が表示される。なお、運用可能周波数範囲全体Ｐａ、およびスキャン範囲Ｐｂは、それらの範囲の上限周波数位置と、下限周波数位置とを表示し、各メモリーチャンネルの設定周波数Ｐｄはその周波数位置を表示し、受信フィルタ帯域Ｐｃはその帯域に対応した幅の帯状に表示することが可能である。
そして、変換手段における局発信号を所定の周波数範囲走査させることによって運用周波数近傍のスペクトラムを表示するとともに、運用周波数を変更するとき、前記局発信号を変更周波数分だけ補正するので、運用周波数を変更してもスペクトラムの表示周波数範囲は変動しない。
【００１０】
そして、請求項２によれば、図２に示したように、上記表示内容に加えて、運用周波数表示手段によって、現在の運用周波数Ｐｅが表示される。
【００１１】
【発明の実施の形態】
以下に、本発明にかかる表示装置を、その実施の形態のブロック図を示した図面１に基づいて詳細に説明する。
【００１２】
図１において、
１は運用可能周波数範囲を設定する第１設定手段、２はスキャン範囲を設定する第２設定手段、３は受信フィルタ帯域を設定する第３設定手段、４はメモリーチャンネルの周波数を設定する第４設定手段、５は運用周波数を設定する第５設定手段、６は前記各設定手段にて設定された設定情報を表示する表示手段、７は前記各設定手段にて設定された設定情報を、第５設定手段による運用周波数の変更に係わらず前記表示手段６に表示するよう制御する制御手段である。
【００１３】
また、８は前記表示手段６のグラフィック表示機能を用いて、スペクトラム表示を行うように制御するスペクトラム表示制御手段である。
なお、前記表示手段６と制御手段７は、設定情報表示手段および運用周波数表示手段に対応する構成であり、前記表示手段６とスペクトラム表示制御手段８はスペクトラム表示手段に対応する構成である。
【００１４】
次に、表示手段６における表示例を示した図２を参照しながら、上記表示装置の動作を説明する。図２においては、横軸を周波数軸とし縦軸をレベル軸とする。
前記第１設定手段１によって運用可能周波数範囲Ｐａの上限と下限とを設定する。図２の例では、運用可能周波数範囲Ｐａの下限を14.000MHz、上限を14.350MHzに設定する。
また、第２設定手段２によってスキャン範囲Ｐｂの上限と下限とを設定する。図２の例では、スキャン範囲Ｐｂの下限を14.050MHz、上限を14.170MHzに設定する。
また、第３設定手段３によって受信フィルタ帯域Ｐｃを設定する。図２の例では、受信フィルタ帯域Ｐｃを例えば挟帯域に設定する。
【００１５】
また、第４設定手段によってメモリーチャンネルＰｄを設定する。図２の例では、▲１▼、▲２▼、▲３▼、▲４▼、▲５▼、▲６▼の周波数にそれぞれ設定する。
そして、第５設定手段によって受信したい周波数に運用周波数Ｐｅを設定する。図２の例では、14.110MHzに現在の運用周波数が設定されている。
【００１６】
図２の例では、スペクトラム表示制御手段８によって、表示手段６のスペクトラム表示領域６Ａに運用可能周波数範囲内のスペクトラムＰｆが表示されている。また、設定された受信フィルタ帯域Ｐｃが網かけ等で表示されている。
また、表示手段６の設定情報表示領域６Ｂには、運用可能周波数範囲の上限と下限、スキャン範囲の上限と下限、メモリーチャンネルの設定位置、および現在の運用周波数が、それぞれ周波数データもしくはメモリーチャンネル番号と共に表示されている。
【００１７】
図２の状態から、第５設定手段によって現在の運用周波数を14.210MHzに上げた場合には、図３に示したように、運用周波数は14.110MHzから14.250MHzへ変化するが、第１設定手段１によって設定されている運用可能周波数範囲の上限と下限、第２設定手段２によって設定されているスキャン範囲の上限と下限、第３設定手段３によって設定されている受信フィルタ帯域、および第４設定手段によって設定されているメモリーチャンネルの周波数は、何れも変化しないので設定が解りやすい。
【００１８】
以上の説明においては、現在の運用周波数を変化させた場合を例にとって説明したが、スキャン範囲を変更する場合も、スキャン範囲の上限と下限の位置を、運用可能周波数範囲全体における位置を確認しながら変更できるとともに、他の設定情報の表示内容は変化しないので設定が解りやすい。同様に、メモリーチャンネルの設定を変更する場合も、設定周波数を、運用可能周波数範囲全体における位置を確認しながら変更できるとともに、他の設定情報の表示内容は変化しないので設定が解りやすい。また、受信フィルタ帯域の変更する場合も、受信フィルタ帯域を、スペクトラム表示を確認しながら変更できるとともに、他の設定情報の表示内容は変化しないので設定が解りやすい。
また、本実施例においては、スキャン範囲、受信フィルタ帯域、もしくは、各メモリーチャンネルの設定周波数の設定情報を表示させるようにしたものであるが、その他、運用可能周波数範囲内の運用モード情報の設定情報、レピータの使用可能周波数の設定情報、周波数毎の送信電力の設定情報など、必要な情報を表示できるようにしてもよい。
さらに、本実施例においては、受信フィルタ帯域を網かけ等で表示するようにしたものであるが、その他、表示色をそれぞれに応じて変更させて表示させることもできる。
当然ではあるが、表示する設定情報をそれぞれ表示色を異ならせ、さらに視認性を向上させることも可能であることは、言うまでもない。
また、運用モードとしてのバンドプラン、即ち、電波の形式及び周波数の使用区分情報等を表示する場合、スペクトラム表示領域の背景色をそれぞれによって変更させ、表示させるようにすることも可能である。
【００１９】
図４は前記制御手段の詳細構成例を示すブロック図である。
図４において、４１は第１ミキサであり、図示しない高周波段から出力された高周波信号を第１局発信号によって第１中間周波数信号に変換して出力する。前記第１局発信号は図１における第５設定手段によって運用周波数に応じた周波数に設定される。
従って、第１中間周波数(1IF)信号には、受信回路側に必要な信号と、それ以外の表示範囲内に存在するスペクトラム情報とを含んだ信号が得られる。
これらの周波数成分の最大範囲は、表示範囲をＦs1（図２中の14.000）〜Ｆs2(14.350)＝Ｐａとすると、
第１中間周波数（1IF）±Ｐａ
となる。
なぜならば、表示範囲の上限または下限の周波数を受信している場合、第１中間周波数（1IF）からＰａ離れたところまでを表示する必要が有るためである。
４２は第２ミキサであり、第１中間周波数（1IF）信号を、この制御手段内部における第２中間周波数信号に変換する。
この第２中間周波以降の中間周波段において挿入されるフィルタ帯域で、表示にかかかる周波数分解能は決定される。
この第２ミキサ４２に注入される第２局発信号は、次のように、表示周波数と表示周波数範囲の中心周波数の関係できまる。
上述の表示範囲（Ｆs1〜Ｆs2）の中央の周波数Ｆs12とすると、
Ｆs12=Ｆs1＋Ｐａ／２
となり、このＦs12と運用周波数Ｆrxとの差△ｆ、
△ｆ＝Ｆrx−Ｆs12
だけ第２局発信号に補正を掛け、且つこの第２局発信号を前記表示範囲Ｐａに相当する周波数範囲を走査させる。
つまり、表示範囲の中央に運用周波数Ｆｒｘが位置する場合、つまり△ｆ＝０の時に、
Ｆ2lo＝Flo1〜Flo2
を走査させているとする。
表示範囲を変更せずに運用周波数を△ｆだけ変化させた場合は、
Ｆ2lo＝Flo1+△ｆ〜Flo2+△ｆ
の範囲を走査させることになる。
【００２０】
なお、第２ミキサ４２の後段のフィルタが表示にかかる周波数分解能を満足するフィルタならば、図４の第３ミキサ４３以降は不要である。
また、第３ミキサ４３のところで直接レベルを検出して表示におけるレベル値とすることも可能である。
このようにして、運用周波数を変更した場合には、運用周波数に対応した信号成分の運用可能周波数範囲内での表示位置は変化するが、他の各設定情報の運用可能周波数範囲内での表示位置は変化しないので、設定が解りやすいのである。
【００２１】
【発明の効果】
以上の説明のように、請求項１の発明によれば、運用可能周波数範囲全体を表示手段に表示するとともに、設定されているスキャン範囲、受信フィルタ帯域、各メモリーチャンネル、もしくは、運用モードの少なくともいずれかの設定情報を、表示された運用可能周波数範囲内における位置を視認可能な状態で表示するので、各設定情報の運用可能周波数範囲内での位置が解りやすくなり、優れた操作性が得られる。
さらに、前記運用周波数ＦｒｘをＦｒｘ＋Δｆへ変更するとき、前記表示手段に表示させるスペクトラムの周波数の範囲が変動しないように、第２局発信号が走査する周波数の上限の周波数Ｆｌｏ２をＦｌｏ２＋Δｆに補正し、下限の周波数Ｆｌｏ１をＦｌｏ１＋Δｆに補正する局発補正手段を設けたので、運用周波数を変更してもスペクトラムの表示周波数範囲は変動しない。
【００２２】
請求項２によれば、さらに、現在の運用周波数を、表示された運用可能周波数範囲内における位置を視認可能な状態で表示するので、用周波数を変更しても、表示手段に表示されている運用可能周波数範囲の上限も下限も変化しないので、設定が解りやすく、優れた操作性が得られる。
【図面の簡単な説明】
【図１】本発明にかかる表示装置の実施の形態の構成を示したブロック図である。
【図２】前記表示装置による表示例を示す図である。
【図３】前記表示装置による表示例を示す図である。
【図４】前記表示装置の要部の詳細構成例を示すブロック図である。
【符号の説明】
１  運用可能周波数範囲を設定する第１設定手段
２  スキャン範囲を設定する第２設定手段
３  受信フィルタ帯域を設定する第３設定手段
４  メモリーチャンネルの周波数を設定する第４設定手段
５  運用周波数を設定する第５設定手段
６  各設定手段にて設定された設定情報を表示する表示手段、設定情報表示手段、運用周波数表示手段、スペクトラム表示手段
７  各設定手段にて設定された設定情報の表示を制御する制御手段、設定情報表示手段、運用周波数表示手段
８  スペクトラム表示を行うように制御するスペクトラム表示制御手段、スペクトラム表示手段
【図１】
0003901544.tif 000002
【図２】
0003901544.tif 000003
【図３】
0003901544.tif 000004
【図４】
0003901544.tif 000005